(57)【要約】【課題】　デジタルデータに著作権データを埋め込む場合に、再生時のアナログ音声信号の品質が劣化することを防止する。【解決手段】　著作権データがＦＭ変調器１１４、発振器１１５、拡散変調器１１６、拡散符号１１７により変調され、ＣＭＲが周波数軸上で異なるように変調データのレベルがレベル制御部１１８により制御される。また、制御部２００はデジタル音声データのレベル変動を検出し、変調データのレベルをレベル変動と周波数の両方に応じて変化させる。この変調データは加算器１２１に印加され、Ａ／Ｄコンバータ３１の出力信号に対して埋め込まれる。【選択図】　　　　図２
2004039238.tif 000002
【特許請求の範囲】
【請求項１】
　アナログ音声信号がデジタルデ−タにＡ／Ｄ変換されるとともに、前記デジタルデ−タに関する著作権データとして著作権状態を管理するための複製可能数がスペクトラム拡散により変調するステップと、前記デジタルデ−タの周波数に応じて前記変調されたデジタルデ−タに関する著作権データである複製可能数の信号をデジタルデ−タとのパワ−比が異なるレベルで前記デジタルデ−タに埋め込むステップとを、
　有する著作権データ埋め込みプログラムが記録された記録媒体。
【請求項２】
　前記埋め込みステップは、デジタルデ−タのレベル変動に応じて前記パワ−比をさらに変化させたレベルの著作権デ−タの信号がデジタルデ−タに埋め込まれることを特徴とする請求項１記載の著作権データ埋め込みプログラムが記録された記録媒体。
【請求項３】
　前記埋め込みステップは、前記デジタルデ−タの平均レベルが所定値以上のときにはレベル変動にかかわらず前記パワ−比をさらに変化されていないレベルの著作権デ−タの信号が前記デジタルデ−タに埋め込まれることを特徴とする請求項１記載の著作権データ埋め込みプログラムが記録された記録媒体。
【請求項４】
　前記埋め込みステップは、前記著作権デ−タが変調されることなく著作権管理情報エリアに記録されていることを特徴とする請求項１ないし３のいずれか１つに記載の著作権データ埋め込みプログラムが記録された記録媒体。
【請求項５】
　前記埋め込みステップは、アップサンプリング法及びダウンサンプリング法により著作権デ−タが埋め込まれることを特徴とする請求項１ないし４のいずれか１つに記載の著作権データ埋め込みプログラムが記録された記録媒体。
【請求項６】
　著作権デ−タとしてさらにＳＩＤ情報とＩＳＲＣ情報の少なくとも１つが埋め込まれることを特徴とする請求項１ないし５のいずれか１つに記載の著作権データ埋め込みプログラムが記録された記録媒体。
【請求項７】
　アナログ音声信号がＡ／Ｄ変換されると共に、前記デジタルデ−タに関する著作権デ−タとして著作権状態を管理するための複製可能数をスペクトラム拡散により変調するステツプと、前記デジタルデ−タの周波数を検出し、この周波数と聴覚マスキング効果に応じて変調された著作権デ−タの信号を前記デジタルデ−タとのパワ−比が異なるレベルで前記デジタルデ−タに埋め込む著作権デ−タ埋め込みステツプとを有し、
　前記著作権デ−タ埋め込みステツプは、前記デジタルデ−タのレベル変動を検出し、このレベル変動に応じて前記パワ−比をさらに変化させたレベルの著作権デ−タの信号を前記デジタルデ−タに埋め込むことを特徴とする著作権情報埋め込みプログラムが記録された記録媒体。
【請求項８】
　アナログ音声信号がＡ／Ｄ変換されると共に、前記デジタルデ−タに関する著作権デ−タとして著作権状態を管理するための複製可能数をスペクトラム拡散により変調するステツプと、前記デジタルデ−タの周波数を検出し、この周波数と聴覚マスキング効果に応じて変調された著作権デ−タの信号を前記デジタルデ−タとのパワ−比が異なるレベルで前記デジタルデ−タに埋め込む著作権デ−タ埋め込みステツプとを有し、
　前記著作権デ−タ埋め込みステツプは、前記デジタルデ−タの平均レベルが所定値以上のときにはレベル変動にかかわらず前記パワ−比をさらに変化させないで著作権デ−タの信号を前記デジタルデ−タに埋め込むことを特徴とする著作権情報埋め込みプログラムが記録された記録媒体。
【請求項９】
　前記著作権デ−タ埋め込みステツプは、アツプサンプリング法及びダウンサンプリング法により著作権デ−タを埋め込むことを特徴とする請求項１０の記載の著作権データ埋め込みプログラムが記録された記録媒体。
【請求項１０】
　　請求項１乃至９のいずれか１つに記載の著作権情報の埋め込みプログラムにより、アナログ音声信号がＡ／Ｄ変換された原デジタルデータに対してその著作権データがスペクトラム拡散により変調されて埋め込まれたデジタルデータから、前記著作権データを取り出すステップを有する著作権データ再生方法。
【請求項１１】
　請求項１ないし１０のいずれか１つに記載のプログラムに基づいて著作権デ−タが埋め込まれたデジタルオ−デイオ信号を通信回線を介して送信及び／または受信することを特徴とするデジタルオ−デイオ信号用の通信方法。
【請求項１２】
　請求項１ないし１０のいずれか１つに記載のプログラムに基づいて著作権デ−タが埋め込まれたデジタルオ−デイオ信号を通信回線を介して送信し、及び／または受信することを特徴とするデジタルオ−デイオ信号用の通信方法。
【発明の詳細な説明】
【技術分野】
【０００１】
　本発明は、例えば音楽ソースのようなアナログ音声信号をアナログ−デジタル（Ａ／Ｄ）変換して記録媒体に記録したり、伝送媒体を介して伝送する場合にその著作権を管理するための著作権データ埋め込みプログラムが記録された記録媒体、著作権データ再生方法、及びデジタルオ−デイオ信号の通信方法に関する。
【背景技術】
【０００２】
オーディオ再生用光ディスクとしてのＣＤ（コンパクト　ディスク）が市場に出てから１０数年が経過し、既にオーディオ情報の記録媒体としては従来のカセットテープを凌駕してめざましい普及を見せている。そして、デジタルディスクであるＣＤの物理・論理フォーマットは、８ビット固定データ長シンボルのＥＦＭ変調記録方式やサブコード、オーディオデータ、ＣＲＣなどのデータフォーマット方式として確立しており、各種のアプリケーション機能を付加したＣＤプレーヤが開発されている。
【０００３】
　また、ＣＤはそのサブコードにおけるＱチャンネルのコントロールビット（４ビット）で識別させることによって、あるいはＴＯＣの不在で識別させることにより、データ用のＣＤ−ＲＯＭとしても利用されており、デジタルディスクの大容量性や高速アクセス性を有効に利用して電子出版の分野でその応用を拡大しつつある。ところで、上記のＣＤ−ＲＯＭでは音声がＡＤＰＣＭにより圧縮されており、その圧縮により原音質が再現できず、よりハイファイ性の高い記録が望まれるようになってきている。換言すれば、圧縮しても通常のＣＤの２倍の帯域に匹敵するオーディオ信号を記録できるディスクの出現が期待されている。
【０００４】
　しかしながら、このような高品質のハイファイ信号はデジタル情報の状態でコピーされると、劣化がないためユーザにとっては都合がよいが、著作権の保護の観点から望ましくないという問題点がある。そこで、このような問題点を解決する方法としては、デジタルデータに対して著作権データを埋め込む方法（特表平７−５０５９８４号公報）や、オリジナルデータに小さな変更を加えて識別信号を確認することによりコピーを行ったユーザを判定する方法（特開平８−４５１７９号公報）などが提案されている。また、他の方法としては、デジタル情報のコピー回数を制限する方法や（米国特許第５，４２８，５９８号）、デジタル出力端子を機器に全く設けない方法や、アナログ出力信号の一部の帯域を抜く方法などが提案されている。
【０００５】
　上記の特表平７−５０５９８４号公報に示す著作権データ埋め込み方法では、人間の聴覚特性の中の、ある大きなオーディオ信号が存在するときにはその周波数の近傍の低レベルの信号（例えばノイズ）は聞こえないという「聴覚マスキング特性」を利用している。そして、この方法では、図１６に示すように著作権データの信号Ｃ（＝コード）と原信号Ｍ（＝ミュージック）とのパワー比ＣＭＲ（Code to Music Ratio ）が周波数領域で一定になるように埋め込んでいる。
【発明の開示】
【発明が解決しようとする課題】
【０００６】
　ところで、実際の「聴覚マスキング特性」では、大きなオーディオ信号Ｍに対して聞こえない信号ＣのレベルのＣＭＲは周波数に応じて異なる。しかしながら、上記従来例ではＣＭＲが周波数領域で一定になるように埋め込むので、著作権データを過大なレベルで埋め込むとそのデータをＤ／Ａ変換してアナログ音声信号に再生した場合に、ある周波数では音質が聴感上劣化したり、加工感を感じたりして違和感が発生するという問題点がある。逆に、著作権データを過少なレベルで埋め込むと十分に埋め込むことができない。
【０００７】
　また、最近では、パーソナルコンピュータ（以下、パソコン又はＰＣという）によるマルチメディア化が急速に進み、動画像や音声の信号をＰＣにより処理することが普及している。また、最近では、いわゆるインターネットなどの通信回線を介して動画像や音声の信号を伝送することが普及している。このような状況下では、一般ユーザがＰＣを使用してミュージックソースを媒体や通信回線を介して他人に供給する場合に自己の著作権を管理することを望むことが考えられる。
【０００８】
　そこで、本発明は、ユーザの利便性と著作権保護を両立させるためにデジタルデータに著作権データを埋め込む場合に、再生時のアナログ音声信号の品質が劣化することを防止することができる著作権データ埋め込みプログラムが記録された記録媒体、著作権データ再生方法、及びデジタルオ−デイオ信号の通信方法を提供することを目的とする。
【課題を解決するための手段】
【０００９】
　本発明は上記目的を達成するために、以下の１）〜１２）に記載の手段より成る。
【００１０】
　すなわち、
　１）アナログ音声信号がデジタルデ−タにＡ／Ｄ変換されるとともに、前記デジタルデ−タに関する著作権データとして著作権状態を管理するための複製可能数がスペクトラム拡散により変調するステップと、前記デジタルデ−タの周波数に応じて前記変調されたデジタルデ−タに関する著作権データである複製可能数の信号をデジタルデ−タとのパワ−比が異なるレベルで前記デジタルデ−タに埋め込むステップとを、
　有する著作権データ埋め込みプログラムが記録された記録媒体。
【００１１】
　２）前記埋め込みステップは、デジタルデ−タのレベル変動に応じて前記パワ−比をさらに変化させたレベルの著作権デ−タの信号がデジタルデ−タに埋め込まれることを特徴とする請求項１記載の著作権データ埋め込みプログラムが記録された記録媒体。
【００１２】
　３）前記埋め込みステップは、前記デジタルデ−タの平均レベルが所定値以上のときにはレベル変動にかかわらず前記パワ−比をさらに変化されていないレベルの著作権デ−タの信号が前記デジタルデ−タに埋め込まれることを特徴とする請求項１記載の著作権データ埋め込みプログラムが記録された記録媒体。
【００１３】
　４）前記埋め込みステップは、前記著作権デ−タが変調されることなく著作権管理情報エリアに記録されていることを特徴とする請求項１ないし３のいずれか１つに記載の著作権データ埋め込みプログラムが記録された記録媒体。
【００１４】
　５）前記埋め込みステップは、アップサンプリング法及びダウンサンプリング法により著作権デ−タが埋め込まれることを特徴とする請求項１ないし４のいずれか１つに記載の著作権データ埋め込みプログラムが記録された記録媒体。
【００１５】
　６）著作権デ−タとしてさらにＳＩＤ情報とＩＳＲＣ情報の少なくとも１つが埋め込まれることを特徴とする請求項１ないし５のいずれか１つに記載の著作権データ埋め込みプログラムが記録された記録媒体。
【００１６】
　７）アナログ音声信号がＡ／Ｄ変換されると共に、前記デジタルデ−タに関する著作権デ−タとして著作権状態を管理するための複製可能数をスペクトラム拡散により変調するステツプと、前記デジタルデ−タの周波数を検出し、この周波数と聴覚マスキング効果に応じて変調された著作権デ−タの信号を前記デジタルデ−タとのパワ−比が異なるレベルで前記デジタルデ−タに埋め込む著作権デ−タ埋め込みステツプとを有し、
　前記著作権デ−タ埋め込みステツプは、前記デジタルデ−タのレベル変動を検出し、このレベル変動に応じて前記パワ−比をさらに変化させたレベルの著作権デ−タの信号を前記デジタルデ−タに埋め込むことを特徴とする著作権情報埋め込みプログラムが記録された記録媒体。
【００１７】
　８）アナログ音声信号がＡ／Ｄ変換されると共に、前記デジタルデ−タに関する著作権デ−タとして著作権状態を管理するための複製可能数をスペクトラム拡散により変調するステツプと、前記デジタルデ−タの周波数を検出し、この周波数と聴覚マスキング効果に応じて変調された著作権デ−タの信号を前記デジタルデ−タとのパワ−比が異なるレベルで前記デジタルデ−タに埋め込む著作権デ−タ埋め込みステツプとを有し、
　前記著作権デ−タ埋め込みステツプは、前記デジタルデ−タの平均レベルが所定値以上のときにはレベル変動にかかわらず前記パワ−比をさらに変化させないで著作権デ−タの信号を前記デジタルデ−タに埋め込むことを特徴とする著作権情報埋め込みプログラムが記録された記録媒体。
【００１８】
　９）前記著作権デ−タ埋め込みステツプは、アツプサンプリング法及びダウンサンプリング法により著作権デ−タを埋め込むことを特徴とする請求項１０の記載の著作権データ埋め込みプログラムが記録された記録媒体。
【００１９】
　１０）請求項１乃至９のいずれか１つに記載の著作権情報の埋め込みプログラムにより、アナログ音声信号がＡ／Ｄ変換された原デジタルデータに対してその著作権データがスペクトラム拡散により変調されて埋め込まれたデジタルデータから、前記著作権データを取り出すステップを有する著作権データ再生方法。
【００２０】
　１１）請求項１ないし１０のいずれか１つに記載のプログラムに基づいて著作権デ−タが埋め込まれたデジタルオ−デイオ信号を通信回線を介して送信及び／または受信することを特徴とするデジタルオ−デイオ信号用の通信方法。
【００２１】
　１２）請求項１ないし１０のいずれか１つに記載のプログラムに基づいて著作権デ−タが埋め込まれたデジタルオ−デイオ信号を通信回線を介して送信し、及び／または受信することを特徴とするデジタルオ−デイオ信号用の通信方法。
【発明の効果】
【００２２】
　以上説明したように本発明によれば、原信号の周波数に応じてＣＭＲが異なるように著作権データのレベルを変化させて埋め込むようにしたので、再生時のアナログ音声信号の品質が劣化することを防止することができる。
【発明を実施するための最良の形態】
【００２３】
　以下、図面を参照して本発明の実施の形態について説明する。図１は本発明に適用される著作権情報の埋め込み装置（エンコーダ）を示すブロック図、図２は図１の信号処理回路を詳しく示すブロック図、図３は図１のＡ／Ｄコンバータのサンプリング周期及びデータ列を示す説明図、図４は図２のアロケーション回路によりパッキングされたユーザデータを示す説明図、図５は聴覚マスキング特性を示す説明図、図６及び図７は周波数軸上の原信号と著作権信号とのＣＭＲを示す説明図、図８は図２の制御部による著作権データの埋め込み処理を説明するためのフローチャート、図９は図２の制御部による著作権データのレベル変化を示す説明図、図１０は図８の埋め込み処理の変形例を説明するためのフローチャート、図１１は図１のエンコーダにより処理されたデータをデコードするデコーダを示すブロック図、図１２は図１１の信号処理回路を詳しく示すブロック図、図１３は図１１のデコーダによりデコードされたデータ列を示す説明図、図１４は図２の信号処理回路の変形例を示すブロック図、図１５は図１２の信号処理回路の変形例を示すブロック図である。
【００２４】
　図１に示す入力端子ＩＮには例えば音楽ソースのようなアナログ音声信号が入力され、この入力信号はＡ／Ｄコンバータ３１により、無条件のデジタルコピーを禁止するのに値する十分高いサンプリング周波数（図３に示すサンプリング周期Δｔ）、例えば１９２ｋＨｚでサンプリングされて例えば２４ビットの高分解能のＰＣＭ信号に変換され、図３に示すように曲線αに対応するデータ列
　ｘb1，ｘ1 ，ｘa1，ｘ2，ｘb2，ｘ3，ｘa2，
　　　　・・・，ｘbi，ｘ2i-1，ｘai，ｘ2i，・・・
に変換される。
【００２５】
　このデータ列（ｘbi，ｘ2i-1，ｘai，ｘ2i）は図２に詳しく示す信号処理回路３２及びメモリ３３によりエンコードされ、次いでＤＶＤ符号化回路３４によりパッキングされる。このパッキングデータは出力端子ＯＵＴ１に出力されるか、又は媒体に応じた変調方式で変調回路３５により変調されて出力端子ＯＵＴ２に出力される。また、出力端子ＯＵＴ３からは必要に応じて著作権データが出力される。
【００２６】
　図２を参照して信号処理回路３２の構成を詳しく説明する。まず、Ａ／Ｄコンバータ３１の出力信号は加算器１２１により後述するように著作権データが埋め込まれた後にローパスフィルタ（ＬＰＦ）３６に印加される。ローパスフィルタ３６は１／２の帯域を通過させる例えばＦＩＲフィルタにより構成され、図３に示す曲線αに対応するデータ列（ｘbi，ｘ2i-1，ｘai，ｘ2i）から、帯域制限された曲線βに対応するデータ列
ｘc1，＊，＊，＊，ｘc2，＊，＊，＊，ｘc3，＊，＊，＊，・・・，ｘci，＊，＊，＊，・・・
を得る。
【００２７】
　次にこのデータ列の内、データ「＊」を間引き回路３７により間引くことによりデータ列
　ｘc1，ｘc2，ｘc3，・・・，ｘci，・・・
を生成し、また、データ列（ｘbi，ｘ2i-1，ｘai，ｘ2i）の内、データｘi を間引き回路３８により間引くことによりデータ列
　ｘb1，ｘa1，ｘb2，ｘa2，・・・，ｘbi，ｘai，・・・
を生成する。
【００２８】
　そして、これらのデータ列ｘci、ｘbi、ｘaiに基づいて、加算器により構成される差分計算部を構成する加算器３９により差分
　ｘbi−ｘci＝Δ1i
　ｘai−ｘci＝Δ2i
を演算する。ここで、差分データΔ1i、Δ2iは例えば２４ビット又はそれ以下であり、また、ビット数は固定でも可変でもよい。
【００２９】
　アロケーション回路４０はデータ列ｘci及び差分データΔ1i、Δ2iと著作権データを図４に示すようにユーザデータとしてパッキングし、そのユーザデータを出力することにより記録媒体、例えばＤＶＤ（デジタル・ビデオ・ディスク）に記録されたり、伝送路に伝送される。なお、ＤＶＤのようにユーザデータが２０３４バイトの場合にはデータｘci及び差分データΔ1i、Δ2iは共に２２５個であり、サブヘッダは９バイトである。ここで、データ列ｘciはＡ／Ｄコンバータ３１によりＡ／Ｄ変換されたデジタルデータの帯域を制限してサンプリング周波数を１／４に低減したデータ列となっている。
【００３０】
　次に、著作権データを埋め込む方法について説明する。まず、著作権データ供給部１００は入力端子ＩＮを介して入力する信号に関する著作権データの一例として、
　・著作権を識別するために複製状態を管理するための情報であるディスクのシリアルナンバ（１６バイト）
　・カッティングプレーヤ識別子コード（４バイト）
　・録音日（３バイト）
　・録音数（３バイト）
　・複製された数（４バイト）及び
　・著作権状態を管理するための複製可能数（３バイト）
をＦＭ変調器１１４とアロケーション回路４０に供給する。
【００３１】
　ここで、著作権データとしてＳＩＤ（ソースＩＤ）情報とＩＳＲＣ（International Standard Recording Code ）情報は万国共通であるので、ワールドワイドに出回る海賊版をチェックし易くすることができる。そこで、この製造者を示すＳＩＤ情報として上記「カッティングプレーヤ識別子コード」が使用され、また、万国共通のＩＳＲＣ情報が上記「著作権を識別するために複製状態を管理するための情報であるディスクのシリアルナンバ」として採用される。
【００３２】
　アロケーション回路４０はこの著作権データを図４に示すサブヘッダに分散してパッキングする。また、ＤＶＤにはサブヘッダとは別に、ＣＤＲディスクなどで規定されているＴＯＣエリアに相当するようにディスクの内周に設けられる著作権管理情報エリア（ＣＭＩエリア）に、これらの著作権データがさらに詳しく記録される。このＣＭＩエリアはパーシャルＲＡＭ又はＰＣＡ（ポスト・カッティング・エリア）に記録される。
【００３３】
　また、ＦＭ変調器１１４では著作権データが発振器１１５からの例えば５ｋＨｚの周波数により変調され、次いでこの変調された信号は、Ｄ／Ａ変換されても聞き取れないように拡散変調器１１６により拡散符号（ＰＳ符号：Pseudorandom Sequence Code）１１７を用いて、その周波数スペクトラムが広く拡散されて低レベルにされ、さらに、レベル制御部１１８ではデータ列（ｘbi，ｘai）の周波数と、制御部２００からの制御信号に応じてそのレベルが制御される。そして、この変調データが加算器１２１に印加され、Ａ／Ｄコンバータ３１の出力信号に対して埋め込まれる。
【００３４】
　ここで、「聴覚マスキング効果」では、図５に示すようにあるマスクする側の信号Ｍ（ミュージック）が存在するときの、マスクされる側の信号Ｃ（コード）の最大レベルを「マスキングカーブ」として表すことができる。図５に示すマスキング感度Ｘ（＝ＣＭＲ）は、マスクする側の信号Ｍの性質に応じて異なり、
　・信号がトーンライクな（正弦波に近い）場合…約２５ｄＢ
　・信号がノイズライクな場合　　　　　　　　…約５ｄＢ
と考えられている。また、実際のオーディオ信号では、低域ほどトーンライクであり、高域では各楽器の高調波が重なりあってノイズライクになると考えられるので、マスキング感度Ｘ（＝ＣＭＲ）の値を図６及び図７に示すように周波数に応じてある程度決定することができる。
【００３５】
　そこで、レベル制御部１１８ではデータ列（ｘbi，ｘai）の周波数に基づいて、例えば図６及び図７において実線で示すパターンＣ０のように著作権データの変調信号Ｃのレベルを原信号Ｍのレベルより聴覚心理モデルのＣＭＲだけ又はそれより十分低くして通常では聞き取ることができないレベルにする。そして、この変調データは加算器１２１に印加され、Ａ／Ｄコンバータ３１の出力信号に対して埋め込まれる。
【００３６】
　また、この埋め込み処理では、制御部２００は図８に示すように、Ａ／Ｄコンバータ３１の出力信号から、所定の立ち上がり時定数（例えば１ミリ秒）と立ち下がり時定数（例えば１５０ミリ秒）でピークレベルを検出し（ステップＳ１）、次いで平均レベル（補正値）を検出する（ステップＳ２）。そしてピークレベルが平均レベル未満か否かチェックし（ステップＳ３）、ピークレベル＜平均レベルである場合に図７において破線で示すパターンＣ１のように、著作権データの変調信号Ｃのレベルを上げる（ステップＳ４）。他方、ピークレベル＜平均レベルでない場合にＣＭＲを図６及び図７において実線で示すような固定パターンＣ０、すなわち原信号Ｍの周波数のみに応じて著作権データの変調信号Ｃのレベルを変化させる（ステップＳ５）。
【００３７】
　したがって、上記埋め込み処理によれば、ピークレベル＜平均レベルの場合、すなわち図９に示すように原信号Ｍが小さくなる区間では変調信号Ｃのレベルを上げるが、この区間では小さな信号は聞こえにくいので音質は悪化しない。
【００３８】
　図１０に示すこの変形例では、まず、同様にピークレベルを検出し（ステップＳ１１）、次いで平均レベルを検出する（ステップＳ１２）。そして続くステップＳ１３では平均レベルが十分大きいか否か、例えば最大レベルに対して−１９ｄＢより平均レベルが大きいか否かをチェックし、平均レベル＞−１９ｄＢの場合には周波数のみに応じて著作権データの変調信号のレベルを変化させた固定パターンＣ０のレベルで著作権データの埋め込みを行う（ステップＳ１６）。
【００３９】
　また、ステップＳ１３において平均レベル＞−１９ｄＢでない場合には図８に示す場合と同様に、ピークレベル＜平均レベルであるときに図７において破線で示すパターンＣ１のように著作権データの変調信号Ｃのレベルを上げて埋め込みを行い（ステップＳ１５）、他方、ピークレベル＜平均レベルでないときにＣＭＲを図６及び図７において実線で示すような固定パターンＣ０で埋め込みを行う（ステップＳ１６）。
【００４０】
　次に、図１１を参照してデコーダについて説明する。入力信号はまず、エンコーダ側の変調回路３５の変調方式に応じて復調回路４１により復調され、次いでＤＶＤ復号回路４２により復号され、復号データ（著作権データが埋め込まれたデータ列ｘciと差分データΔ1i、Δ2i）が図１２に詳しく示す信号処理回路４３（及びメモリ４４）と著作権データ書換え部３０に印加されるとともに、サブコードからアンパッキングされた著作権データ又はＣＭＩエリアから再生された著作権データが暗号解読部５０に印加される。信号処理回路４３では図１２に示すように、まず、加算器４６により
　Δ1i＋ｘci＝ｘbi
　Δ2i＋ｘci＝ｘai
が演算され、データ列ｘbi、ｘaiが復元される。ここで、データ列ｘbi、ｘaiは元の２４ビットである。
【００４１】
　次いで補間処理回路４７ではデータ列ｘai、ｘbiの複数のデータを用いて図１３に示すようにその間のデータ列ｘi が補間される。なお、補間処理回路４７では例えばアップサンプリング方法を用いて、それぞれに０データを埋めてローパスフィルタを通過させることにより、補間データ列ｘi を求めることができる。補間データ列ｘi はまた、曲線近似や予測近似により求めるようにしてもよい。この場合、近似補助データを追加して伝送するようにすることで近似度を高めることができる。
【００４２】
　このように補間処理されたデータは、
　ｘb1，ｘ1 ，ｘa1，ｘ2 ，ｘb2，ｘ3 ，ｘa2，
　　　　・・・，ｘbi，ｘ2i-1，ｘai，ｘ2i，・・・
のように配列され、図１１に示すＤ／Ａコンバータ４５と、ＬＰＦ（ローパスフィルタ）５６とデジタル出力端子９０に印加される。
【００４３】
　Ｄ／Ａコンバータ４５では、エンコーダ側で２４ビットの量子化ビット数でＡ／Ｄ変換され、著作権データが埋め込まれて記録媒体に記録されたデータ列（ｘbi，ｘ2i-1，ｘai，ｘ2i）が１９２ｋＨｚのサンプリング周波数でアナログ信号に変換されてアナログ出力端子５５を介して出力される。また、ＬＰＦ５６ではこの入力データが例えば１／４の帯域（４８ｋＨｚ）に制限され、デジタルデータとして出力端子５３を介して出力され、さらに、著作権データが埋め込まれたデータ列（ｘbi，ｘ2i-1，ｘai，ｘ2i）がそのままの状態でデジタル出力端子９０を介して出力される。
【００４４】
　図１４及び図１５はそれぞれ、上記実施形態の変形例を実現するエンコーダ及びデコーダの各信号処理回路を示している。図１４に示すエンコーダでは図２に示す間引き回路３８が省略され、データｘi は間引かれない。そして、差分計算部として動作する加算器３９により差分
　ｘbi−ｘci＝Δ1i
　ｘai−ｘci＝Δ2i
　ｘi −ｘci＝Δ3i
が演算され、データ列（ｘci，Δ1i，Δ2i，Δ3i）及び著作権データがアロケーション回路４０によりパッキングされて伝送される。この場合にも同様に、著作権データがデータ列（ｘci，Δ1i，Δ2i，Δ3i）内に埋め込まれている。
【００４５】
　図１５に示すデコーダでは、上記のようにエンコーダ側でデータ列ｘi が間引かれていないので、補間処理回路４７が省略されている。そして、加算器４６では、
　ｘci＋Δ1i＝ｘbi
　ｘci＋Δ2i＝ｘai
　ｘci＋Δ3i＝ｘi 
を演算することにより、元の高品質のデータ列（ｘbi，ｘ2i-1，ｘai，ｘ2i）を復元する。他の構成はエンコーダ、デコーダともに図２、図１１と同一であるので説明を省略する。
【００４６】
　また、この実施形態のデコーダ（図１１）では、媒体を介して伝送されて入力したビットストリームは、そのままの状態で著作権データ書換え部３０、スイッチ５１及びビットストリーム出力端子５２を介して出力可能であり、また、暗証番号を入力するための端子４９と、この端子４９を介して入力した暗証番号とＤＶＤ復号回路４２からの著作権データに基づいてスイッチ５１をオンにするとともに著作権データ書換え部３０を制御する暗号解読部５０が設けられている。暗号解読部５０は暗証番号の真正性を判断する認証機能を有する。
【００４７】
　暗号解読部５０は暗証番号が入力されると、認証のチェックを受けそれが真正なものと認証された場合に、ＤＶＤ復号回路４２からの著作権データの内のコピー許可条件、例えば「録音可能数」をチェックし、「０」でない場合にはビットストリーム内の録音可能数を１つデクリメントするように著作権データ書換え部３０を制御するとともに、スイッチ５１をオンにすることにより出力を許可し、他方、「０」であればスイッチ５１をオンにしないで出力を禁止することにより無制限なビットストリームのコピーを禁止する。なお、コピー許可条件としては「録音可能数」の他、「コピー可能期間」を媒体を介して伝送するとともに、暗号解読部５０内に時計機能を設けて暗証番号が入力した時間が「コピー可能期間」外であればコピーを禁止するようにしてもよい。
【００４８】
　ところで、上記埋め込み法では、著作権データが原オーディオデータの帯域を超える成分を含むので、原オーディオデータに対して著作権データを埋め込む場合に両データを単に加算器１２１により加算すると、歪み発生の原因となり、この歪みが再生時に聴感上検知され易くなる。また、再生時に聴感上検知されにくくするため著作権データの埋め込み量を少なくすると、埋め込み量が限定される。
【００４９】
　図１７は加算器１２１の代わりに用いられる著作権データ埋め込み回路を示している。この回路はデジタルフィルタにより構成され、アップサンプリング部４は補間（インターポレーション）とＬＰＦ処理を行い、ダウンサンプリング部５は間引き（デシメーション）を行う。図１８は図１７における回路の主要信号を示し、まず、図１８（Ａ）（Ｂ）に示すように原オーディオ信号ａと著作権情報ｂのサンプリング周波数ｆｓは同一であり、また、著作権情報ｂのビット数は原信号ａより少ない。そして、原信号ａと著作権情報ｂを加算器３により加算すると、図１８（Ｃ）に示すように歪みを含む信号ｃとなる。
【００５０】
　続くアップサンプリング部（図示ｕｐ↑２）４はこの加算器３から入力する信号ｃをその２倍のサンプリング周波数ｆｓ×２でアップサンプリングするために、入力信号ｃのサンプリング位置の間に０値、又は入力信号ｃの前のサンプリング位置のホールド値を補間信号として挿入し、次いでこれをＬＰＦ処理することにより図１８（Ｄ）に示すように２倍のサンプリング周波数ｆｓ×２のデータ列ｄを作成する。このデータ列ｄはアップサンプリング部４による処理時間により、入力信号ｃに対して時間差τ１より遅れていることを除き同一値の信号である。
【００５１】
　続くダウンサンプリング部（図示ｄｏｗｎ↓２）５は、補間信号を間引いて信号ｃのサンプリング位置のみのデータ列ｅを出力することにより、図１８（Ｅ）に示すように信号ｄを元のサンプリング周波数ｆｓにダウンサンプリングする。このデータ列ｅは入力信号ｄに対して時間差τ２より遅れていることを除き同一値の信号であり、したがって、信号ｃに対して時間差τ１＋τ２より遅れていることを除き同一値の信号である。このような処理によれば、原オーディオデータａに対して著作権データｂを埋め込む際に位相と振幅の両方が変位するので、著作権データｂの埋め込み量を多くしても再生時に聴感上検知されにくくすることができる。
【００５２】
　図１９は図１７のアップ・ダウンサンプリング部の変形例を示し、埋め込み回路６はアップサンプリングとダウンサンプリングを同時に行うように構成されている。すなわち、埋め込み回路６は、図１８（Ｃ）〜（Ｅ）に示すように加算器３により加算された原信号ａと著作権情報ｂの加算信号ｃのサンプリング位置の間に補間信号を挿入して２倍のサンプリング周波数ｆｓ×２に変換するためのアップサンプリング処理と、ダウンサンプリング処理を元のサンプリング周波数ｆｓでのみ行う。このような回路によれば、図１７に示す回路と比べて少ない演算量で同一の埋め込み処理を実現することができる。
【００５３】
　図２０は図１７のアップ・ダウンサンプリング部の他の変形例を示している。アップサンプリング部４−１、４−２はそれぞれ原オーディオ信号ａと著作権情報ｂをその２倍のサンプリング周波数ｆｓ×２でアップサンプリングするために、信号ａ、ｂのサンプリング位置の間に０値、又は入力信号ａ、ｂの前のサンプリング位置のホールド値を補間信号として挿入し、ついでこの信号をＬＰＦ処理することにより２倍のサンプリング周波数ｆｓ×２のデータ列ａ’、ｂ’を作成する。加算器３はこの２倍のサンプリング周波数ｆｓ×２の原オーディオ信号ａ’と著作権情報ｂ’を加算し、続くダウンサンプリング部５はこの加算器３により加算された信号ｃ’を元のサンプリング周波数ｆｓにダウンサンプリングした信号ｅを出力する。このような処理によれば、著作権情報ｂによる歪みが加算前に除去されるので、図１７に示す回路より出力信号ｅに残留する歪みを低減させることができる。
【００５４】
　図２１と図２２はそれぞれ、更に他のアップ・ダウンサンプリング部とその処理を示している。この例では加算器３が省略され、アップサンプリング部４は図２２（Ａ）（Ｂ）に示すように原信号ａと著作権情報ｂをその２倍のサンプリング周波数ｆｓ×２でアップサンプリングするために、原信号ａのサンプリング位置の間に著作権情報ｂを補間信号として挿入し、図２２（Ｃ）に示すように２倍のサンプリング周波数ｆｓ×２のデータ列ｃを作成する。次いでアップサンプリング部４はこのデータ列ｃを低域通過フィルタ（ＬＰＦ）処理を行うことにより図２２（Ｄ）に示すように低域成分を抽出した信号ｄを出力する。
【００５５】
　続くダウンサンプリング部５はこのデータ列ｄを元のサンプリング周波数ｆｓにダウンサンプリングして図２２（Ｅ）に示すように原信号ａのサンプリング位置のみのデータ列ｅを出力する。このような処理によれば、原オーディオデータａに対して著作権データｂを埋め込む際に位相と振幅の両方が変位するので、著作権データｂの埋め込み量を多くしても再生時に聴感上検知されにくくすることができる。図２３は図２１の回路の変形例を示し、埋め込み回路６は図１９に示す場合と同様に、アップサンプリングとダウンサンプリングを元のサンプリング周波数ｆｓで行うことにより、同時に行うように構成されている。
【００５６】
　図２４と図２５はそれぞれ、更に他のアップ・ダウンサンプリング部とその処理を示している。著作権情報ｂは１サンプル遅延回路（Ｚ-1）７により遅延され、図２５（Ｂ）に示すような著作権データ列ｂ１、ｂ２…が生成される。そして、この著作権データ列ｂ１、ｂ２…と図２５（Ａ）に示す原オーディオデータ列ａ１、ａ２…が加算器３により加算される。
【００５７】
　アップサンプリング部４は加算器３により加算されたデータ列ａ１＋ｂ１、ａ２＋ｂ２…と著作権データ列ｂ１、ｂ２…をその２倍のサンプリング周波数ｆｓ×２でアップサンプリングするために、データ列ａ１＋ｂ１、ａ２＋ｂ２…のサンプリング位置の間に著作権データ列ｂ１、ｂ２…を補間信号として挿入し、図２５（Ｃ）に示すように２倍のサンプリング周波数ｆｓ×２のデータ列
　ｂ１，ａ１＋ｂ１，ｂ２，ａ２＋ｂ２…
を作成する。次いでアップサンプリング部４はこのデータ列ｃを低域通過フィルタ（ＬＰＦ）処理を行うことにより図２５（Ｄ）に示すように低域成分を抽出する。
【００５８】
　続くダウンサンプリング部５はこのデータ列を元のサンプリング周波数ｆｓでダウンサンプリングして図２５（Ｅ）に示すように原信号ａのサンプリング位置のみのデータ列ａ’１、ａ’２…を出力する。このような処理においても同様に、原オーディオデータａに対して著作権データｂを埋め込む際に位相と振幅の両方が変位するので、著作権データｂの埋め込み量を多くしても再生時に聴感上検知されにくくすることができる。図２６は図２４の回路の変形例を示し、埋め込み回路６は図１９、図２３に示す場合と同様に、アップサンプリングとダウンサンプリングを元のサンプリング周波数ｆｓで行うことにより、同時に行うように構成されている。
【００５９】
　図２７と図２８はそれぞれ、更に他のアップ・ダウンサンプリング部とその処理を示している。この回路では補間信号を生成するために、図２８（Ａ）に示す原オーディオデータ列ａ１、ａ２…と図２８（Ｂ）に示す著作権データ列ｂ１、ｂ２…が加算器３により加算され、次いでこの加算信号ａ１＋ｂ１、ａ２＋ｂ２…が１サンプル遅延回路（Ｚ-1）７により遅延される。
【００６０】
　アップサンプリング部４は原オーディオデータ列ａ１、ａ２…と１サンプル遅延回路（Ｚ-1）７により遅延されたデータ列ａ１＋ｂ１、ａ２＋ｂ２…をその２倍のサンプリング周波数ｆｓ×２でアップサンプリングするために、原オーディオデータ列ａ１、ａ２…のサンプリング位置の間にデータ列ａ１＋ｂ１、ａ２＋ｂ２…を補間信号として挿入し、図２８（Ｃ）に示すように２倍のサンプリング周波数ｆｓ×２のデータ列
　ａ１，ａ１＋ｂ１，ａ２，ａ２＋ｂ２…
を作成する。次いでアップサンプリング部４はこのデータ列を低域通過フィルタ（ＬＰＦ）処理を行うことにより図２８（Ｄ）に示すように低域成分を抽出したデータ列ｄ１、ｄ２…を出力する。
【００６１】
　続くダウンサンプリング部５はこのデータ列ｄ１、ｄ２…を元のサンプリング周波数ｆｓでダウンサンプリングして図２８（Ｅ）に示すように原信号ａのサンプリング位置のみのデータ列ｄ１、ｄ３、ｄ５…を出力する。図２９は図２７の回路の変形例を示し、埋め込み回路６は図１９、図２３、図２６に示す場合と同様に、アップサンプリングとダウンサンプリングを元のサンプリング周波数ｆｓで行うことにより、同時に行うように構成されている。
【００６２】
　図３０と図３１はそれぞれ、更に他のアップ・ダウンサンプリング部とその処理を示している。この回路ではまず、アップサンプリング部４−１が著作権データ列ｂ１、ｂ２…と補間信号「０」をその４倍のサンプリング周波数ｆｓ×４でアップサンプリングするために、著作権データ列ｂ１、ｂ２…のサンプリング位置の間に補間信号「０」を挿入し、次いでこれをＬＰＦ処理することにより、図３１（Ｃ）に示すように４倍のサンプリング周波数ｆｓ×４のデータ列ｃ１、ｃ２、ｃ３、ｃ４、ｃ５…を生成する。ここで、ｂ１とｃ１、ｂ２とｃ５、すなわちｂｎとｃ４（ｎ−１）＋１が同一サンプリング位置である。
【００６３】
　次いで加算器３−１はサンプリング周波数ｆｓで原オーディオデータ列ａ１、ａ２〜ａｎと、アップサンプリング部４−１により生成されたデータ列ｃ１、ｃ５〜ｃ４（ｎ−１）＋１を加算し、また、加算器３−２は４倍のサンプリング周波数ｆｓ×４で補間信号「０」とデータ列ｃ１、ｃ５〜ｃ４（ｎ−１）＋１を加算する。
【００６４】
　そして、続くアップサンプリング部４−２は加算器３−１、３−２により加算された各信号を４倍のサンプリング周波数ｆｓ×４でアップサンプリングするために、加算器３−１により加算された信号のサンプリング位置の間に加算器３−１により加算された信号を補間信号として挿入し、次いでこれをＬＰＦ処理することにより、図３１（Ｄ）に示すように４倍のサンプリング周波数ｆｓ×４のデータ列
　ａ１＋ｃ１，ｃ２，ｃ３，ｃ４，ａ２＋ｃ５，ｃ６…
　　，ａｎ＋ｃ４（ｎ−１）＋１
を作成する。アップサンプリング部４−２はまた、このデータ列を低域通過フィルタ（ＬＰＦ）処理を行うことにより図３１（Ｅ）に示すように低域成分を抽出したデータ列ｅ１、ｅ２…を出力する。
【００６５】
　続くダウンサンプリング部５はこのデータ列ｅ１、４２…を元のサンプリング周波数ｆｓにダウンサンプリングして図３１（Ｆ）に示すように原信号ａのサンプリング位置のみのデータ列ｆ１（＝ｅ１）、ｆ２（＝ｅ５）…を出力する。図３２は図３０の回路の変形例を示し、埋め込み回路６は図１９、図２３、図２６、図２９に示す場合と同様に、アップサンプリングとダウンサンプリングを元のサンプリング周波数ｆｓで行うことにより、同時に行うように構成されている。
【００６６】
　次に、このように埋め込み処理を行ったデータが記録される媒体について説明する。まず、図２、図１４に示すアロケーション回路４０により作成されたユーザデータ列（図４参照）が図１に示すＤＶＤ符号化回路３４によりＤＶＤフォーマットに符号化され、次いで変調回路３５によりＥＦＭ変調される。
【００６７】
　次いでこのデータが図示省略のＤＶＤカッティングマシン（プレーヤ）に供給されてＤＶＤオーディオディスクの原盤（マスタ）が製造される。次いでこの原盤の上に金属薄膜がスパッタ法とメッキ法により形成され、更に厚くメッキして原盤から剥離されてスタンパが製造される。次いでこのスタンパによりディスクの基になる基材が射出成形により形成されて貼り合わされ、ＤＶＤオーディオディスクが製造される。
【００６８】
ＤＶＤオーディオディスクにおけるオーディオ（Ａ）パック｛及びビデオ（Ｖ）パック｝は、図３３に示すように２０３４バイトのユーザデータ（Ａデータ、Ｖデータ）に対して４バイトのパックスタート情報と、６バイトのＳＣＲ（System Clock Reference：システム時刻基準参照値）情報と、３バイトのMux rate情報と１バイトのスタッフィングの合計１４バイトのパックヘッダが付加されて構成されている（１パック＝合計２０４８バイト）。この場合、タイムスタンプであるＳＣＲ情報を、ＡＣＢユニット内の先頭パックでは「１」として同一アルバム内で連続とすることにより同一アルバム内のＡパックの時間を管理することができる。
【００６９】
　次に、図３４〜図４２を参照して著作権データ埋め込みプログラムについてを説明する。最近では、ＰＣによるマルチメディア化が急速に進み、動画像や音声の信号をＰＣにより処理することが普及している。また、最近では、いわゆるインターネットなどの通信回線を介して動画像や音声の信号を伝送することが普及している。このような状況下では、一般ユーザがＰＣを使用してミュージックソースを媒体や通信回線を介して他人に供給する場合に自己の著作権を管理することを望むことが考えられる。
【００７０】
　図３４は本発明に係るデジタルオーディオ信号処理システムを示すブロック図、図３５は図３４のパーソナルコンピュータのデジタルオーディオ信号処理プログラムを説明するためのフローチャート、図３６は図３５の著作権データ埋め込みプログラムを詳しく説明するためのフローチャート、図３７は著作権データ再生プログラムを説明するためのフローチャートである。
【００７１】
　図３４に示すパソコン１０６には、ディスクドライブ装置１０４又はネットワークターミナル１０５から図３５に示すようなデジタルオーディオ信号処理プログラム（図３６に詳しく示す著作権データ埋め込みプログラムと図３７に詳しく示す著作権データ再生プログラムを含む）とサラウンドミュージックなどのミュージックソースが供給される。
【００７２】
　パソコン１０６は例えばインテル社のＰＰ５５Ｃの拡張命令セット（ＭＭＸ）のように、主として画像や音声などのデジタル信号を効率的に処理するために追加された特定用途向けの命令セットを有するＣＰＵ１０６ａと、データ処理時のバッファとして使用されるＲＡＭ１０６ｂと、ディスクドライブ装置１０４又はネットワークターミナル１０５から供給されるデータを変換するデータコンバータ１０６ｃと、処理後のオーディオデータをＤ／Ａ変換器とアンプを介して複数のスピーカ（図では１０３Ｌ、１０３Ｒ、さらにはサラウンド用のスピーカ１０３Ｃ、１０３Ｓ）に供給するためのオーディオインタフェース（Ｉ／Ｆ）１０６ｄと、図示省略の表示部の表示制御を行うディスプレイプロセッサ１０６ｅと、図示省略のマウスやキーボードからの操作入力信号に基づいて操作信号を発生する操作信号発生部１０６ｆを有する。
【００７３】
　このような構成において、図３５に示すようにＣＰＵ１０６ａはデジタルオーディオ信号処理プログラムが記録されたディスクがディスクドライブ装置１０４にセットされた状態で、不図示のキーボードを介してプログラムロード命令（コマンド）が入力すると（ステップＳ６１）、ディスクからプログラムデータを読み出して内部ＲＡＭにロードし（ステップＳ６２）、ロードが終了するとプログラムロードフラグをセットし（ステップＳ６３）、終了する。このとき、ＣＰＵ１０６ａはＭＭＸ対応であるので、高速信号処理が可能になる。
【００７４】
　また、ＣＰＵ１０６ａはサラウンドミュージックなどのミュージックソースが記録されたディスクがディスクドライブ装置１０４にセットされた状態で、不図示のキーボードを介してプレイコマンドが入力すると、ディスクの最初のトラックにアクセスしてそのディスクの種類を示すサブコードを読み取り、そのサブコードが「ミュージックソース」か否かをチェックし（ステップＳ６４）、ＹＥＳの場合には図３６に詳しく示す著作権データ埋め込みプログラムを実行し（ステップＳ６５）、次いで処理後のオーディオデータをオーディオＩ／Ｆ１０６ｄに渡す（ステップＳ６６）。次いでステップＳ６５に戻り、著作権データ埋め込みプログラムを繰り返す。また、ステップＳ６４において「ミュージックソース」でない場合には「演奏不能」を不図示の表示部に表示し（ステップＳ６７）、終了する。
【００７５】
　ＣＰＵ１０６ａは図３６に示すような著作権データ埋め込みプログラムを実行する。図３６において、まず、ミュージックソースのＡ／Ｄ変換データを入力する処理を実行し（ステップＳ１００）、著作権データをキーボードを介して入力する処理を実行し（ステップＳ１０１）、次いでこの著作権データをスペクトラム拡散する処理を実行する（ステップＳ１０２）。このスペクトラム拡散処理では、図２、図１４に示すＦＭ変調器１１４、拡散変調器１１５による処理をハードウエアではなくソフトウエアで実行する。
【００７６】
　続くステップＳ１０３では、変調された著作権データを、図７に示すように周波数に応じたＣＭＲで、また、図８、図１０に示すフローチャートのように周波数とレベルに応じたＣＭＲでデジタルオーディオデータに埋め込み（ステップＳ１０３）、次いでこのデジタルオーディオデータを記録媒体に記録するためのフォーマット変換を行う（ステップＳ１０４）。
【００７７】
　次に、図３７を参照してこのように変調されて埋め込まれた著作権データを再生する処理について説明する。まず、著作権データが埋め込まれたデジタルオーディオデータを取り込み（ステップＳ２００）、次いでこのデジタルオーディオデータと著作権データが埋め込まれていない原デジタルオーディオデータに基づいて変調信号を抽出する（ステップＳ２０１）。次いでこの変調信号を変調時と同一の拡散符号１１７（図２、図１４参照）を用いてスペクトラム拡散復調し、次いで変調時と同一の周波数（図２、図１４に示す発振器１１５参照）を用いてＦＭ復調することにより元の著作権データを取り出す（ステップＳ２０２）。次いでこの著作権データをデータベースと照合することにより解読を行う（ステップＳ２０３）
次に、上記のプログラムや、このプログラムにより処理されたデジタルオーディオ信号を通信回線を介して伝送する場合について説明する。図３８は図３４に示すパソコン１０６内のネットワークターミナル１０５を詳細に示すブロック図、図３９及び図４０は図３８のデータ変換部の処理を示すフローチャート、図４１は通信ネットワークを示す説明図、図４２は図４１のネットワーク上のパケット処理を示す説明図である。このターミナル１０５はデータ送信側とデータ受信側のパソコン１０６の両方に設けられ、パソコン１０６の内部バスに接続される受信バッファＴ１及び送信バッファＴ２と、データ変換部Ｔ４と、通信インタフェースであるアダプタＴ３と、通信端子Ｔ６とコントローラＴ５を有する。
【００７８】
　データ送信側のデータ変換部Ｔ４は図３９に示すように、送信バッファＴ２に蓄えられている送信データを所定長に分割してパケット化し（ステップＳ１４１）、次いでパケットの先頭には宛て先アドレスを含むヘッダを付与し（ステップＳ１４２）、次いでこれをアダプタＴ３と通信端子Ｔ６を介してネットワークＮＷ上に出力する（ステップＳ１４３）。データ受信側のデータ変換部Ｔ４は図４０に示すように、ネットワークＮＷから通信端子Ｔ６とアダプタＴ３を介して受信したパケットからヘッダを除去し（ステップＳ１５１）、次いで受信データを復元し（ステップＳ１５２）、次いでこれを受信バッファＴ１を介して図３４に示すプログラムＲＡＭ１０６ｂに転送する（ステップＳ１５３）。
【００７９】
　データ送信側とデータ受信側の通信端子Ｔ６は例えば図４１に示すようなネットワークＮＷを介して接続される。このネットワークＮＷでは例えばＣＡＴＶ回線や、インターネットと呼ばれるＴＣＰ／ＩＰ（Transmission Control Protocol/Internet Protocol ）のプロトコルを用いてデータがパケット1)2)3)…単位で伝送され。この場合、データ送信側から出力されたパケット1)2)3)…は図４１、図４２に示すように、ネットワークＮＷ上のルータＲにより最適ルートが選択されてパケット1)2)3)…毎に分離され、次いでルータＲにより分離された各パケットはパケット交換器Ｐｎ（ｎ＝１〜ｋ）を介してパケット1)2)3)…順にデータ受信側のパソコン１０６に送られる。
【００８０】
　したがって、データ受信側のパソコン１０６では、ディスクドライブ装置１０４にセットされているディスク内のミュージックソースに対して、プログラムＲＡＭ１０６ｂ上のプログラムに基づいて著作権データを埋め込むことができる。そして、このような通信方法により著作権データ埋め込みプログラムや、このプログラムに基づいて著作権データが埋め込まれたミュージックソースが転送された場合には、送信側や受信側に対してプログラム使用料を請求する。
【００８１】
　本発明はデータ送信側が受信側に対して一方的に送信する場合に限定されず、、例えばデータ受信側のユーザがデータ送信側のホームページに基づいて、プログラム送信要求やオーディオ信号送信要求を送信し、データ送信側がこの要求に基づいてプログラムやオーディオ信号を送信する場合にも適用することができる。なお、このようなインターネットの場合には、インタフェースＴ３としてＴＣＰ／ＩＰプロトコル群が用いられる。
【００８２】
　ここで、著作権データが埋め込まれたミュージックソースを記憶するための媒体、例えばＤＶＤ−オーディオディスクの基材の表面又は内部に特殊な印刷あるいは成形などにより、著作権データが埋め込まれていることを示す可視画像を形成することによりコピープロテクト機能を実現することができる。なお、このような可視画像を形成する方法としては、例えば特開平７−９８８８９号公報、特開平８−２１５８号公報、特開平９−１２８８１２号公報などに記載されているので詳細な説明を省略するが、このような方法で形成された可視画像は、容易に複製できないように形成されない。
【図面の簡単な説明】
【００８３】
【図１】本発明に係る著作権情報の埋め込み装置（エンコーダ）を示すブロック図である。
【図２】図１の信号処理回路を詳しく示すブロック図である。
【図３】図１のＡ／Ｄコンバータのサンプリング周期及びデータ列を示す説明図である。
【図４】図２のアロケーション回路によりパッキングされたユーザデータを示す説明図である。
【図５】聴覚マスキング特性を示す説明図である。
【図６】周波数軸上の原信号と著作権信号とのＣＭＲを示す説明図である。
【図７】周波数軸上の原信号と著作権信号とのＣＭＲを示す説明図である。
【図８】図２の制御部による著作権データの埋め込み処理を説明するためのフローチャートである。
【図９】図２の制御部による著作権データのレベル変化を示す説明図である。
【図１０】図８の埋め込み処理の変形例を説明するためのフローチャートである。
【図１１】図１のエンコーダにより処理されたデータをデコードするデコーダを示すブロック図である。
【図１２】図１１の信号処理回路を詳しく示すブロック図である。
【図１３】図１１のデコーダによりデコードされたデータ列を示す説明図である。
【図１４】図２の信号処理回路の変形例を示すブロック図である。
【図１５】図１２の信号処理回路の変形例を示すブロック図である。
【図１６】従来の著作権データの埋め込み処理による周波数軸上の原信号と著作権信号とのＣＭＲを示す説明図である。
【図１７】他の著作権データ埋め込み回路を示すブロック図である。
【図１８】図１７の回路の埋め込み処理を示す説明図である。
【図１９】図１７の著作権データ埋め込み回路の変形例を示すブロック図である。
【図２０】図１７の著作権データ埋め込み回路の他の変形例を示すブロック図である。
【図２１】更に他の著作権データ埋め込み回路を示すブロック図である。
【図２２】図２１の回路の埋め込み処理を示す説明図である。
【図２３】図２１の著作権データ埋め込み回路の変形例を示すブロック図である。
【図２４】更に他の著作権データ埋め込み回路を示すブロック図である。
【図２５】図２４の回路の埋め込み処理を示す説明図である。
【図２６】図２４の著作権データ埋め込み回路の変形例を示すブロック図である。
【図２７】更に他の著作権データ埋め込み回路を示すブロック図である。
【図２８】図２７の回路の埋め込み処理を示す説明図である。
【図２９】図２７の著作権データ埋め込み回路の変形例を示すブロック図である。
【図３０】更に他の著作権データ埋め込み回路を示すブロック図である。
【図３１】図３０の回路の埋め込み処理を示す説明図である。
【図３２】図３０の著作権データ埋め込み回路の変形例を示すブロック図である。
【図３３】ＤＶＤ−オーディオディスクのオーディオパックを示す説明図である。
【図３４】本発明に係るデジタルオーディオ信号処理システムを示すブロック図である。
【図３５】図３４のパーソナルコンピュータのデジタルオーディオ信号処理プログラムを説明するためのフローチャートである。
【図３６】図３５の著作権データ埋め込みプログラムを詳しく説明するためのフローチャートである。
【図３７】著作権データ再生プログラムを説明するためのフローチャートである。
【図３８】図３４に示すパソコン内のネットワークターミナルを詳細に示すブロック図である。
【図３９】図３８のデータ変換部の処理を示すフローチャートである。
【図４０】図３８のデータ変換部の処理を示すフローチャートである。
【図４１】通信ネットワークを示す説明図である。
【図４２】図４１のネットワーク上のパケット処理を示す説明図である。
【符号の説明】
【００８４】
　３　加算器（加算手段）
　３−１　加算器（第１の加算手段）
　３−２　加算器（第２の加算手段）
　４　アップサンプリング部（アップサンプリング手段）
　４−１　アップサンプリング部（第１のアップサンプリング手段）
　４−２　アップサンプリング部（第２のアップサンプリング手段）
　５　ダウンサンプリング部（ダウンサンプリング手段）
　６　埋め込み回路（アップサンプリング手段及びダウンサンプリング手段）
　７　１サンプル遅延回路（遅延手段）
　３０　著作権データ書換え部
　３１　Ａ／Ｄコンバータ（Ａ／Ｄ変換手段）
　３２、４３　信号処理回路
　３３、４４　メモリ
　３４　ＤＶＤ符号化回路
　３５　変調回路
　３６、５６　ローパスフィルタ
　３７、３８　間引き回路
　３９、４６、１２１　加算器
　４０　アロケーション回路
　４１　復調回路
　４２　ＤＶＤ復号回路
　４５　Ｄ／Ａコンバータ
　４７　補間処理回路
　５０　暗号解読部
　５１　スイッチ
　５２　デジタル出力端子（ビットストリーム出力端子）
　５３、９０　デジタル出力端子
　５５　アナログ信号出力端子
　１００　著作権データ供給部
　１１４　ＦＭ変調器（発振器１１５、拡散変調器１１６、拡散符号１１７とともに変調手段を構成する）
　１１５　発振器
　１１６　拡散変調器
　１１７　拡散符号
　１１８　レベル制御部
　２００　制御部（レベル制御部１１８、加算器１２１とともに著作権データ埋め込み手段を構成する）
【図１】
2004039238.tif 000003
【図２】
2004039238.tif 000004
【図３】
2004039238.tif 000005
【図４】
2004039238.tif 000006
【図５】
2004039238.tif 000007
【図６】
2004039238.tif 000008
【図７】
2004039238.tif 000009
【図８】
2004039238.tif 000010
【図９】
2004039238.tif 000011
【図１０】
2004039238.tif 000012
【図１１】
2004039238.tif 000013
【図１２】
2004039238.tif 000014
【図１３】
2004039238.tif 000015
【図１４】
2004039238.tif 000016
【図１５】
2004039238.tif 000017
【図１６】
2004039238.tif 000018
【図１７】
2004039238.tif 000019
【図１８】
2004039238.tif 000020
【図１９】
2004039238.tif 000021
【図２０】
2004039238.tif 000022
【図２１】
2004039238.tif 000023
【図２２】
2004039238.tif 000024
【図２３】
2004039238.tif 000025
【図２４】
2004039238.tif 000026
【図２５】
2004039238.tif 000027
【図２６】
2004039238.tif 000028
【図２７】
2004039238.tif 000029
【図２８】
2004039238.tif 000030
【図２９】
2004039238.tif 000031
【図３０】
2004039238.tif 000032
【図３１】
2004039238.tif 000033
【図３２】
2004039238.tif 000034
【図３３】
2004039238.tif 000035
【図３４】
2004039238.tif 000036
【図３５】
2004039238.tif 000037
【図３６】
2004039238.tif 000038
【図３７】
2004039238.tif 000039
【図３８】
2004039238.tif 000040
【図３９】
2004039238.tif 000041
【図４０】
2004039238.tif 000042
【図４１】
2004039238.tif 000043
【図４２】
2004039238.tif 000044